(57)【要約】【課題】肉厚が薄くしながら、余熱を利用して調理することができる電子レンジ調理容器を提供する。【解決手段】食器として使用可能な椀２と、椀の側壁２ｂの上部内側に係合する蓋３と、底部４ａと側壁部４ｂとを有し、椀２に蓋３が載った状態で底部４ａが蓋３の上面との間に空間６を形成するように、底部４ａの周縁部または側壁部４ｂの下部が椀の側壁２ｂの上縁部内側に嵌合する上部嵌合部材４と、椀２を収容可能な内部容積を有し、底部５ａと側壁部５ｂを有し、椀２の外表面との間に空間７を形成するように、側壁部５ｂが椀の側壁２ｂの上部外側と嵌合する下部嵌合部材５と、を有するようにした。【選択図】図１
2011183105.tif 000002
【特許請求の範囲】
【請求項１】
食器として使用可能な椀と、
前記椀の側壁の上部内側に係合する蓋と、
底部と側壁部とを有し、前記椀に前記蓋が載った状態で前記底部が前記蓋の上面との間に空間を形成するように、前記底部の周縁部または前記側壁部の下部が前記椀の側壁の上縁部内側に嵌合する上部嵌合部材と、
前記椀を収容可能な内部容積を有し、底部と側壁部を有し、前記椀の外表面との間に空間を形成するように、前記側壁部が前記椀の側壁の上部外側と嵌合する下部嵌合部材と、
を有することを特徴とする電子レンジ調理容器。
【発明の詳細な説明】
【技術分野】
【０００１】
本発明は、電子レンジで調理可能な容器に関する。
【０００２】
特に、本発明は食器として使用できる容器部分の外側全体に空間を形成する部材を有し、電子レンジによる加熱後に前記空間によって熱を逃がさないようにすることにより、余熱で調理することができる電子レンジ調理容器に関する。
【０００３】
なお、本願発明の電子レンジ調理容器は、すべての食材に対して用いることができるものであって、ご飯の調理には限られないが、本明細書では理解を容易にするために、必要に応じてご飯用の電子レンジ調理容器を例に説明する。
【背景技術】
【０００４】
電子レンジで食材を調理することが広く行われている。最近は、電子レンジでご飯を炊くことができる電子レンジ調理容器も用いられるようになっている。
【０００５】
しかし、電子レンジで熱が通りにくい食材を調理する場合は、短時間の加熱では美味しく調理できない場合がある。たとえばご飯の場合は、いわゆる「芯」が残る状態になるという問題がある。これは、電子レンジによる加熱は短時間になるため、あるいは十分に温度が上がらないため、米の内部のデンプンが十分にα化しないことによって生じるものと考えられる。
【０００６】
これに対して、従来のご飯用の電子レンジ調理容器には、加熱の間の内部圧力を高くして温度を上げるものと、余熱を利用するものの、二つの課題解決の方向があった。
【０００７】
内部圧力を高くするものの一つとして、調理容器の蓋の構造を工夫し、密閉構造の蓋とするものが提案されていた。
【０００８】
しかし、蓋と調理容器本体が圧力を生じさせる密閉構造であるため、構造が複雑化する問題があった。
【０００９】
余熱を利用するものの一つとして、調理容器の本体を肉厚にし、加熱後に熱を逃さないようにすることにより余熱を利用するものがあった。
【００１０】
しかし、熱を逃さない程度に調理容器の本体を肉厚にするため、材料的に不経済であり、かつ、容器が重量化する等の問題があった。
【００１１】
また、内部圧力を高くすることと余熱を利用することの双方を狙ったものとして、陶器によって調理容器を形成するものがあった。この調理容器は、陶器による蓋の重みと、陶器自体の保温性とにより、内部圧力を高くしかつ余熱を利用して調理できるようにしたものがあった。
【００１２】
しかし、陶器による電子レンジ調理容器は、全体として重く、取り扱いが不便であるという問題があった。
【先行技術文献】
【特許文献】
【００１３】
【特許文献１】特開２００８−００７１９５号公報
【特許文献２】特開平１１−０２８０６３号公報
【発明の概要】
【発明が解決しようとする課題】
【００１４】
上述したように、内部圧力を高めるようにした従来の電子レンジ調理容器は、圧力容器を形成するための密閉構造が複雑であり、形状と構造が複雑化する問題があった。
【００１５】
また、余熱を利用できるようにした従来の電子レンジ調理容器は、容器の肉厚を厚くしたり、材質を陶器等にしたり、共通して材料的に不経済であり、重くて取り扱いが不便であった。
【００１６】
そこで、本願発明が解決しようとする課題は、肉厚が薄くしながら、余熱を利用して調理することができる電子レンジ調理容器を提供することにある。
【課題を解決するための手段】
【００１７】
本発明による電子レンジ調理容器は、
食器として使用可能な椀と、
前記椀の側壁の上部内側に係合する蓋と、
底部と側壁部とを有し、前記椀に前記蓋が載った状態で前記底部が前記蓋の上面との間に空間を形成するように、前記底部の周縁部または前記側壁部の下部が前記椀の側壁の上縁部内側に嵌合する上部嵌合部材と、
前記椀を収容可能な内部容積を有し、底部と側壁部を有し、前記椀の外表面との間に空間を形成するように、前記側壁部が前記椀の側壁の上部外側と嵌合する下部嵌合部材と、
を有することを特徴とする。
【００１８】
前記電子レンジ調理容器は樹脂によって形成するようにすることができる。
【００１９】
また、前記蓋は前記椀の落とし蓋となるように椀に対して上下動可能に形成し、該蓋により調理中の泡の生成を抑え、温度を保ち、ある程度の圧力を与えられるようにすることができる。
【００２０】
また、前記蓋と前記上部嵌合部材の底部には、蒸気の逃し口が設けられ、前記蒸気の逃し口は、電子レンジ調理容器の内部圧力を上昇させる程度の口径を有するようにすることができる。
【００２１】
また、前記上部嵌合部材の側壁部と底部は、吹き出した泡を収容する吹きこぼれ防止の内部容積を有するようにすることができる。
【発明の効果】
【００２２】
本発明による電子レンジ調理容器は、食器として使用可能な椀と、前記椀の側壁の上部内側に係合する蓋とを有し、上部嵌合部材が、椀に蓋が載った状態で蓋の上面との間に空間を形成するように椀の側壁の上縁部内側に嵌合し、下部嵌合部材が、椀の外表面との間に空間を形成するように、椀の側壁の上部外側と嵌合する。
【００２３】
すなわち、本発明による電子レンジは、使用状態において、上部嵌合部材と下部嵌合部材によって椀と蓋の全体の外周が囲まれ、椀と蓋を取り囲む空間が形成される。
【００２４】
上記空間は保温層になり、調理中はもちろん、調理後も熱を逃さないようにし、これによって本発明の電子レンジ調理容器は余熱を利用して調理することができる。
【００２５】
本発明の上部嵌合部材と下部嵌合部材は、薄い部材で形成されながら、椀の側壁部の上部内外面に嵌着することにより、椀と蓋を取り囲む外部空間に厚い断熱層を形成することができる。
【００２６】
すなわち、本発明によれば、少ない材料で効果的な断熱層を得られ、保温や余熱調理を実現することができる。
【００２７】
また、本発明は陶器のような特殊な材料とする必要がなく、廉価で取り扱いが容易な樹脂製品とすることができる。
【００２８】
また、本発明によれば、上部嵌合部材と下部嵌合部材と椀の嵌着は、特に圧力容器を形成するように、すなわち圧力を内包する密閉構造とする必要がないため、構造簡単な電子レンジ調理容器とすることができる。
【００２９】
さらに、上部嵌合部材と下部嵌合部材を嵌着した状態で、蓋は上下動可能で落とし蓋として機能でき、調理中の泡の生成を抑え、温度を保ち、圧力を与えられる。これによって、落とし蓋を用いる調理法に対応でき、美味しく調理できることがある。
【００３０】
また、本発明によれば、上部嵌合部材の側壁部を延長し、吹きこぼれ防止に十分な内部容積を有するようにすれば、上部嵌合部材は調理中に吹き出した泡を収容することができ、電子レンジ内での吹きこぼれを防止することができる。
【図面の簡単な説明】
【００３１】
【図１】本発明の一実施形態による電子レンジ調理容器を分解して示した斜視図である。
【図２】本発明の一実施形態による電子レンジ調理容器の椀の平面図と正面図である。
【図３】本発明の一実施形態による電子レンジ調理容器の蓋の平面図と正面図である。
【図４】本発明の一実施形態による電子レンジ調理容器の上部嵌合部材の平面図と正面図である。
【図５】本発明の一実施形態による電子レンジ調理容器の下部嵌合部材の平面図と正面図である。
【図６】本発明の一実施形態による電子レンジ調理容器の使用状態を示した縦断面図である。
【発明を実施するための形態】
【００３２】
以下、添付図面を参照して、本発明の実施形態を説明する。
【００３３】
図１は、本発明の一実施形態による電子レンジ調理容器を分解して示した斜視図を示している。
【００３４】
図１に示すように、全体を符号１で示した電子レンジ調理容器は、椀２と、蓋３と、上部嵌合部材４と、下部嵌合部材５とを有している。
【００３５】
なお、「椀」とは字義的には木製の半球形の器を意味するが、本発明は木製に限られない。任意の材料を使用することができるが、好ましくは樹脂製である。蓋３や上部嵌合部材４や下部嵌合部材５についても、任意の材料とすることができるが、好ましくは樹脂製である。
【００３６】
また、椀は半球形に限られず、内部に食物を収納できる限り、任意の形状とすることができる。たとえば、椀は底面が閉塞された筒形に近い形状とすることかできる。
【００３７】
椀２は、好ましくは電子レンジ調理後そのまま使用できるように、食器として使用可能な容器である。
【００３８】
図１と図２をあわせて参照することによって明確に把握されるように、椀２は底２ａと側壁２ｂを有し、本実施形態では接続部が明確ではないが椀の側壁２ｂは椀の底２ａの周縁に続いて立ち上がっている。なお、茶碗の分野では、椀の側壁２ｂの下部は「腰」と呼ばれ、その上部は「胴」と呼ばれるが、本発明では特に腰と胴を区別することなく、椀の底２ａから立ち上がっている部分をまとめて「椀の側壁」（２ｂ）という。
【００３９】
椀２の側壁２ｂは、その上部に段部２ｃを有している。段部２ｃは、後に説明するように、蓋３を載置する。
【００４０】
椀２はさらに、台２ｄと把手２ｅを有している。なお、台２ｄと把手２ｅは椀２を食器として使用するときの便利を考慮したものであるが、必要に応じて省略することができる。
【００４１】
次に蓋３について図１と図３を用いて説明する。
【００４２】
蓋３は、椀の段部２ｃの上部内側に係合し、椀２の上部開口を閉塞することができるものである。
【００４３】
図１と図３をあわせて参照することによって明確に把握されるように、蓋３の本体は好ましくは、平面的な円環状の周縁部３ａと、上方に凸な中心部３ｂとを有している。
【００４４】
蓋３の上方には把手３ｃが設けられている。また、蓋の把手３ｃの内側には、蒸気の逃がし口３ｄが複数設けられている。
【００４５】
上部嵌合部材４は、椀２に蓋３が載った状態で、蓋３の上面との間に空間を形成するように、椀の側壁２ｂの上縁部内側に嵌合する部材である。
【００４６】
図１と図４をあわせて参照することによって明確に把握されるように、上部嵌合部材４は、底部４ａと側壁部４ｂとを有している。上部嵌合部材の底部４ａは、平面的な円環状の周縁部と、蓋３の上方を囲むドームのような凸な中心部とを有している。
【００４７】
上部嵌合部材の底部４ａの上記円環状の周縁部には、複数の蒸気の逃がし口４ｃが設けられている。
【００４８】
上部嵌合部材の側壁部４ｂは、上部嵌合部材の底部４ａの円環状の周縁部の縁から上方に立ち上がり、上部は開放されている概略筒状の形状を有している。
【００４９】
上部嵌合部材の側壁部４ｂの胴部下部には嵌合部４ｄが形成されている。上部嵌合部材の嵌合部４ｄは、段部とシール用の膨出部を有し、椀の側壁２ｂの上縁部内側に嵌合するように形成されている。
【００５０】
上部嵌合部材の嵌合部４ｄが椀の側壁２ｂの上縁部内側に嵌合しているときは、上部嵌合部材の底部４ａが蓋３の上面との間に空間を形成している。
【００５１】
本実施形態の上部嵌合部材の側壁部４ｂは、上縁が折り返すように立ち下がり部を有しているが、この上縁の処理は当業者が任意になし得る形状とすることができる。
【００５２】
次に下部嵌合部材５について説明する。
【００５３】
下部嵌合部材５は椀２の外表面との間に空間を形成するように、椀の側壁２ｂの上部外側と嵌合する部材である。
【００５４】
図１と図５をあわせて参照することによって明確に把握されるように、下部嵌合部材５は椀２を収容可能な内部容積を有し、底部５ａと側壁部５ｂを有している。
【００５５】
下部嵌合部材の側壁部５ｂは、下部嵌合部材の底部５ａの周縁から立ち上がり、上縁部は折り返し部になっている。
【００５６】
下部嵌合部材の側壁部５ｂの上縁の折り返し部が、椀２の上縁部と係合することにより、下部嵌合部材の側壁部５ｂは椀の側壁２ｂの上部に外側から嵌合する。
【００５７】
下部嵌合部材の側壁部５ｂが椀の側壁２ｂの上縁部に外側から嵌合しているときは、下部嵌合部材５は椀２の外表面との間に空間を形成している。
【００５８】
下部嵌合部材５は持ち運びに便利なように把手５ｃを有している。
【００５９】
図６は、電子レンジ調理容器１の上記各構成要素を組み立てた状態、すなわち使用状態を示している。
【００６０】
図６に示すように、椀の段部２ｃに蓋３が載置され、上部嵌合部材４は上部嵌合部材の側壁部４ｂの嵌合部４ｄで椀の側壁２ｂの上縁部内側に嵌合している。上部嵌合部材の嵌合部４ｄは椀の側壁２ｂの上縁部内側とシール線を形成している。
【００６１】
なお、本実施形態では上部嵌合部材の嵌合部４ｄは、側壁部４ｂの下部に形成されているが、上部嵌合部材の底部４ａの周縁部に形成されていてもよい。
【００６２】
下部嵌合部材５は、椀２を内部に収容し、下部嵌合部材５の側壁部５ｂの上縁が椀の側壁２ｂの上縁と係合し、および、下部嵌合部材の側壁部５ｂの上部内面が椀の側壁２ｂの上部外面と接することにより、シール線を形成している。
【００６３】
電子レンジ調理容器１の各構成要素を組み立てた状態で、図６に示すように、上部嵌合部材の底部４ａと蓋３の上面との間には空間６が形成されている。
【００６４】
また、下部嵌合部材５と椀２の外表面との間には空間７が形成されている。
【００６５】
すなわち、本発明の電子レンジ調理容器１の使用状態では、椀２と蓋３の全体を取り囲むように、空間６，７が形成されている。
【００６６】
これらの空間６，７は、加熱中はもちろん、加熱後も熱を逃さないように内部に保持し、これによって余熱を利用した調理を可能にする。
【００６７】
余熱による調理後は、上部嵌合部材４と下部嵌合部材５を取り外し、椀２と蓋３を取り出してそのまま食器として使用することができる。
【００６８】
また、椀２と蓋３は加熱中の容積に比べれば小さい容積を有しているため、食べ残したときは、そのまま冷凍庫や冷蔵庫に収納することができる。
【００６９】
前述したように、本願発明の椀２と蓋３と上部嵌合部材４と下部嵌合部材５は、それぞれ軽い樹脂製とすることができ、かつ、椀２と蓋３と上部嵌合部材４と下部嵌合部材５はそれぞれ薄く形成しても、空間６，７による厚い断熱層を形成することができるため、材料を節約しつつ、高い余熱の利用効率を実現することができる。また、陶器などのような特別な材料とする必要がない。
【００７０】
また、蓋の蒸気の逃がし口３ｄと上部嵌合部材の蒸気の逃がし口４ｃを適当な小口径とすることにより、ある程度の昇圧を実現することができる。
【００７１】
また、本願発明は蓋３が空間６の内部で椀２に対して上下動可能に形成することができる。その場合には、蓋３により調理中の泡の生成を抑え、温度を保ち、ある程度の圧力を与えるなど、蓋３に落とし蓋としての機能を発揮させることができる。このように、本発明によれば、上部嵌合部材４と下部嵌合部材５によって食材の周囲の断熱・昇圧を実現しながら、その状態で落とし蓋を有する調理を実現することができる。これにより、落とし蓋を必要とする調理方法に好適に対応することができる。
【００７２】
また、上部嵌合部材４は側壁部４ｂを適宜伸長させることにより、内部の容積を増大させ、上部嵌合部材の蒸気の逃がし口４ｃを通して吹き出した泡を収容できる程度の内部容積とすることができる。
【００７３】
吹き出した泡を収容できる程度の内部容積とすることにより、調理中の吹きこぼれを防止し、電子レンジ内が汚れることを防止することができる。
【符号の説明】
【００７４】
１  電子レンジ調理容器
２  椀
２ａ  椀の底
２ｂ  椀の側壁
２ｃ  段部
２ｄ  台
２ｅ  椀の把手
３  蓋
３ａ  蓋の周縁部
３ｂ  蓋の中心部
３ｃ  蓋の把手
３ｄ  蓋の蒸気の逃がし口
４  上部嵌合部材
４ａ  上部嵌合部材の底部
４ｂ  上部嵌合部材の側壁部
４ｃ  上部嵌合部材の蒸気の逃がし口
４ｄ  上部嵌合部材の嵌合部
５  下部嵌合部材
５ａ  下部嵌合部材の底部
５ｂ  下部嵌合部材の側壁部
５ｃ  下部嵌合部材の把手
６  空間
７  空間
【図１】
2011183105.tif 000003
【図２】
2011183105.tif 000004
【図３】
2011183105.tif 000005
【図４】
2011183105.tif 000006
【図５】
2011183105.tif 000007
【図６】
2011183105.tif 000008